(57)【特許請求の範囲】
【請求項１】
映像を表示する表示パネルと、該表示パネルを取り付ける筐体と、前記表示パネル背面側で前記筐体内に設けられたスピーカとを有する表示装置であって、
前記スピーカは、該スピーカのスピーカ軸が前記表示パネルの表示面の法線に対して前記表示パネルの水平方向外側に向けて傾斜し、該スピーカの指向性の中心が前記表示装置の外側斜め後方に向けて配置され、
前記筐体は、前記表示パネルの背面側に前記表示パネルに平行に配置された背面壁部と、
該背面壁部の水平方向側方で前記背面壁部と前記表示パネルとを連結する側壁部とを有し、
前記側壁部には、前記スピーカ軸よりも前記表示パネルの水平方向外側の位置に前記スピーカからの音を外部に放出するための１または複数の放音孔が設けられ、
前記背面壁部には、前記放音孔よりも前記表示装置の水平方向内側に１または複数の補助放音孔が設けられていることを特徴とする表示装置。
【請求項２】
請求項１に記載の表示装置において、
前記補助放音孔の周囲の壁面形状によって規定される前記補助放音孔の中心軸が、前記表示装置の側方を向いていることを特徴とする表示装置。
【請求項３】
請求項１または２に記載の表示装置において、
前記放音孔および前記補助放音孔は、前記スピーカの振動板の正面に位置する前記筐体の領域であって、前記振動板の形状に対応した形状の領域内に配置されていることを特徴とする表示装置。
【発明の詳細な説明】
【技術分野】
【０００１】
本発明は、表示装置、より具体的には、表示パネルの背面側にスピーカを備えた薄型構成の表示装置に関する。
【背景技術】
【０００２】
例えば、薄型のテレビ装置やタブレット型コンピュータなどの薄型の表示装置が普及している。このような表示装置においては、筐体の表側全面をほぼ表示パネルの表示画面とし、デザイン性や機能性を強調するために極めて薄型の構成としたものが多い。
【０００３】
上記のような表示装置においては、音声出力のためのスピーカの配置構成が問題となる。表示装置の表側のほぼ全面に表示画面を配置すると、表示装置の表側にスピーカを配置することはできない。従って、表示パネルの背面側や側面側にスピーカを配置することになる。
【０００４】
上記のような薄型の表示装置におけるスピーカ構成に関し、例えば、特許文献１には、折り畳み型携帯電話機の筺体内に組み込まれるスピーカが発する音をスピーカ側方の筐体側面に設けられた音孔から外部に放つスピーカ装置が開示されている。このスピーカ装置は、スピーカの正面と側面に音孔が設けられる。正面音孔と側面音孔を一纏めに囲うようスピーカ正面から側面音孔が設けられたスピーカ側面に跨って環状のパッドが設けられる。環状のパッドを筺体内面に当接することにより、正面音孔を通過した音を筺体内面に沿って側面音孔の方向へ導き、側面音孔を通過した音と側面音孔付近で合流させた後、筐体側面に設けられた音孔に導く外部空間を形成する。この構成により、スピーカの組み込みスペースやそれ自体の厚みを増加させることなく、スピーカの音圧の向上を図ることができるものとされている。
【０００５】
また、特許文献２には、装置の薄型化を図りつつ、スピーカ出力音の特性劣化を低減できるようにすることを目的とした携帯端末が開示されている。この携帯端末は、背面側ケースの側面に、スピーカが発生する音声を出力するための筐体音孔が形成され、筐体音孔が形成されている側面に接するようにスピーカ実装部が形成されている。
スピーカは、内部を保護するプロテクタにスピーカ音孔が設けられている。また、プロテクタは、スピーカがスピーカ実装部に取り付けられた状態で背面側ケースとの間に空洞部を形成するために、クッション材が貼り付けられている。プロテクタと背面側ケースとの間の空洞部を音響伝達空間として利用することによって、スピーカ発生音の劣化を低減するものとされている。
【先行技術文献】
【特許文献】
【０００６】
【特許文献１】特開２００７−２１５０７５号公報
【特許文献２】特開２００７−１９５０１１号公報
【発明の概要】
【発明が解決しようとする課題】
【０００７】
例えば表示パネルを取り付ける筐体の内部にスピーカを配置し、筐体の背面に孔を設け、表示装置の後方に向かって音を出すようにすると、音は、筐体の後方から回り込み、表示装置の前方に位置するユーザに伝えられる。
一般に、周波数が低い低音は指向性（直進性）が低く、周波数の高い高音は指向性が高くなる。従って、上記のように筐体の背面にスピーカからの音を外部に出す放音孔を設けた場合、低周波数の音はユーザ側に伝わり易いが、高周波数の音は表側への回り込みが少なくなって、表側のユーザ位置では周波数特性が劣化して音質が低下し、かつ音量が小さくなって聞こえてしまう。
【０００８】
従来から、複数の周波数特性を持つスピーカで構成された音響システムを備える薄型テレビ等の表示装置において、音の回り込みの大きな低域の音を受け持つウーハーを背面に配置する工夫はなされていたが、約５００Ｈｚ以上の中高域の音を受け持つスコーカー等を背面に配置することは指向性の点から単純にはできないという問題があった。
従って、表示装置では、表側のほぼ前面に表示画面を配置するというデザイン上及び機能上の制約のもと、周波数特性の劣化や音量低下を生じないようなスピーカ構成を備えることが求められる。
【０００９】
上記の特許文献１、２に開示された携帯端末による表示装置においては、いずれの場合にもスピーカの側方に音を出すような工夫がなされているが、周波数特性や音量の低下に対する課題を解決する構成としては十分であるとはいえない。また、特許文献１においてスピーカの正面と側面に音孔を設け、合流させる工夫がされているが、筺体内での合成の工夫のみであり、筺体内でそのような構造をとれない場合の対応については記載されていない。
【００１０】
本発明は、上述のごとき実情に鑑みてなされたもので、表示パネルの背面側にスピーカを設けた構成で、周波数特性の劣化および音量の低下を抑えて良好な音質、音量で音を出力するようにした表示装置を提供することを目的とするものである。
【課題を解決するための手段】
【００１１】
上記課題を解決するために、本発明の第１の技術手段は、映像を表示する表示パネルと、該表示パネルを取り付ける筐体と、前記表示パネル背面側で前記筐体内に設けられたスピーカとを有する表示装置であって、前記スピーカは、該スピーカのスピーカ軸が前記表示パネルの表示面の法線に対して前記表示パネルの水平方向外側に向けて傾斜し、該スピーカの指向性の中心が前記表示装置の外側斜め後方に向けて配置され、前記筐体は、前記表示パネルの背面側に前記表示パネルに平行に配置された背面壁部と、該背面壁部の水平方向側方で前記背面壁部と前記表示パネルとを連結する側壁部とを有し、前記側壁部には、前記スピーカ軸よりも前記表示パネルの水平方向外側の位置に前記スピーカからの音を外部に放出するための１または複数の放音孔が設けられ、前記背面壁部には、前記放音孔よりも前記表示装置の水平方向内側に１または複数の補助放音孔が設けられていることを特徴としたものである。
【００１２】
第２の技術手段は、第１の技術手段において、前記補助放音孔の周囲の壁面形状によって規定される前記補助放音孔の中心軸が、前記表示装置の側方を向いていることを特徴としたものである。
【００１３】
第３の技術手段は、第１または第２の技術手段において、前記放音孔および前記補助放音孔は、前記スピーカの振動板の正面に位置する前記筐体の領域であって、前記振動板の形状に対応した形状の領域内に配置されていることを特徴としたものである。
【発明の効果】
【００１４】
本発明によれば、表示パネルの背面側にスピーカを設けた構成で、周波数特性の劣化お
よび音量の低下を抑えて良好な音質、音量で音を出力するようにした表示装置を提供する
ことができる。
【図面の簡単な説明】
【００１５】
【図１】本発明の表示装置の構成と対比するための従来例を示す図である。
【図２】本発明の表示装置の構成と対比するための比較例を示す図である。
【図３】図１及び図２の構成でスピーカから音を出力させたときの音圧の測定結果を示す図である。
【図４】本発明の表示装置の一実施形態を示す図である。
【図５】図４の側方に放音孔を設けた構成でスピーカから音を出力させたときの音圧の測定結果を示す図である。
【図６】本発明の表示装置の他の実施形態を示す図である。
【図７】図６に示す放音孔と補助放音孔とを設けた構成で、スピーカから音を出力させたときの音圧の測定結果を示す図である。
【図８】本発明による表示装置の実施形態のより具体的な構成例を示す図である。
【図９】本発明による表示装置の実施形態における背面図である。
【図１０】本発明による表示装置の実施形態における正面図である。
【図１１】本発明による表示装置における放音孔の他の構成例を示す図である。
【図１２】本発明による表示装置における放音孔の他の構成例を示す図である。
【図１３】本発明による表示装置における放音孔の更に他の構成例を示す図である。
【図１４】本発明の表示装置における放音孔および補助放音孔の他の構成例を示す図である。
【図１５】本発明の表示装置における放音孔および補助放音孔の更に他の構成例を示す図である。
【図１６】本発明による表示装置における補助放音孔の形状の設定例を示す図である。
【図１７】補助放音孔の更に他の構成例を示す図である。
【発明を実施するための形態】
【００１６】
以下に本発明の表示装置に係る実施形態、及び本発明を対比して説明するための従来例及び比較例について、添付された図面を参照しながら具体的に説明する。なお、本発明を説明するための全図において、同様の機能を有する部分には同じ符号を付け、その繰り返しの説明は省略する。
【００１７】
図１、図２は、本発明の表示装置の構成と対比するための従来例及び比較例を示す図で、表示装置の表示パネル、筐体、及びスピーカの配置構成を模式的に示すものである。ここで図１は従来の構成例、図２は本発明の実施形態と比較するための比較例を示している。図１及び図２において、１は表示装置、１１は表示パネル、１２は筐体（キャビネット）、１３はスピーカである。
【００１８】
表示装置１は、可搬型の薄型テレビやタブレット型コンピュータなどの薄型通信端末装置等に適用可能とするもので、例えば、表示装置１の正面側はほぼ全面に表示画面が配置されているため、スピーカ１３を表示パネルの背面側に向けて配置した構成を有するものである。
このような薄型の表示装置では、図１に示すように、表示パネル１１の背面側にスピーカ１３を配置するが、従来例ではその指向性の中心の方向が表示装置１の後方に向けられる。より具体的には、スピーカ１３のスピーカ軸（スピーカの指向性の中心となる軸）ｘは、表示パネル１１の表示画面の法線方向にほぼ一致している。そして、スピーカ１３の指向性の中心の方向には、筐体１２の外部にスピーカ１３からの音を放出するための放音孔１４が設けられている。
【００１９】
この場合、上述したように、スピーカ１３から後方に放出された音は、筐体１２の外部で回り込んで表示画面を視聴するユーザに届くが、特に指向性の高い高周波域の回り込みが少なく、音質の劣化や音量の低下が感じられる。
これに対して、図２の比較例のように、スピーカ１３のスピーカ軸ｘを傾けることができる。この場合、スピーカ軸ｘを、例えば、表示パネル１１の表示画面の法線ｙに対して角度θだけ傾ける。スピーカ軸ｘを傾ける方向は、表示装置の水平方向の側方外側に向けて傾ける。これにより、スピーカ１３から出力された音がより表側に回り込むようになり、表側における音圧が上がる。
【００２０】
図３は、図１及び図２の構成でスピーカから音を出力させたときの音圧の測定結果を示す図である。ここでは表示装置をスタンド上に設置し、表示装置の背面側の近傍に壁がない状態で、表示装置の正面側（表示画面が視認できる側）にてスピーカからの出力音圧の周波数特性を測定した。図３において、Ｄ１は図１に示す従来一般的な構成における周波数特性、Ｄ２は図２に示すスピーカ軸ｘを傾けたときの周波数特性を示している。この例では、法線ｙに対するスピーカ軸ｘの角度θは７°とした。
【００２１】
図３に示すように、スピーカ軸ｘを傾けた図２の構成において、スピーカ軸ｘを傾けない図１の構成に比して、ほぼ２０００Ｈｚ以下の音圧が上がっている。つまり、スピーカ軸ｘを表示装置１の水平方向外側に向けて傾けることにより、約５００〜２０００Ｈｚの中域の周波数領域の音の回り込み量が増大し、正面における中域の周波数領域の音圧が上がることがわかる。しかしながら、スピーカ軸ｘを単に傾けただけでは、全体の音圧のばらつきが大きくなっており、周波数特性の劣化がみられる。従って、従来スピーカ軸ｘが法線ｙに対して傾いていなかったものを単に傾けただけでは、音質改善と音量向上とを実現することはできない。
【００２２】
図４は、本発明の表示装置の一実施形態を示す図で、表示装置の表示パネル、筐体、及びスピーカの配置構成を模式的に示すものである。
上記のように、スピーカ軸ｘを単に傾けただけでは、周波数特性の乱れが生じていた。
このとき図２に示すように、放音孔１４は、スピーカ軸ｘを含むスピーカ１３の中心後方の領域に設けられていた。これに対して、本発明に係る一実施形態では、図１、図２とは異なる位置に１または複数の放音孔１５を設ける。放音孔１５の位置は、スピーカ１３のスピーカ軸ｘよりも、表示装置１の水平方向外側の位置とする。つまり、放音孔１５は、スピーカ１３の中心後方の位置ではなく、スピーカ軸ｘから装置の側方にずれた位置に設ける。
【００２３】
スピーカ１３から放出された音の多くは、筐体１３の背面側の壁面内側に沿って伝搬し、放音孔１５から筐体１３の外部に放出される。このときに、放音孔１５の位置がスピーカ軸ｘよりも水平方向外側であるため、表示装置１の側方に向けた音圧が向上し、正面に回り込む音が多くなって、正面のユーザ位置における音圧特性が向上する。
放音孔１５の形状は特に限定されるものではないが、本例では、放音孔１５の周囲の壁面形状によって規定される放音孔１５の中心軸ｚが、表示装置１の側方を向くように形成されている。例えば、周囲の壁面形状に規定される放音孔１５の空間が円柱や角柱形状であれば、その円柱や角柱の長軸心が中心軸ｚとなる。この構成により、スピーカ１３から出力され筐体１２の内部から外部に放出される音の指向性をより側方に向けることができ、表示装置１の正面側への回り込み特性を向上させることができる。
【００２４】
図５は、図４の側方に放音孔を設けた構成でスピーカから音を出力させたときの音圧の測定結果を示す図である。
図５において、Ｄ３は図４に示す側方に放音孔を設けた構成の周波数特性を示し、図２の構成のときの検出結果Ｄ２を比較のために表示している。Ｄ２は、図３に示したＤ２と同じものである。この例においても、法線ｙに対するスピーカ軸ｘの角度θは７°とした。
【００２５】
図５に示されるように、スピーカ軸ｘが表示パネルの表示面の法線ｙに対して表示パネル１１の水平方向外側に向けて傾斜した構成において、スピーカ軸ｘよりも水平方向外側位置に放音孔１５を設けることにより、図２のように単にスピーカ１３を傾けた構成に比して、特に５００Ｈｚ〜３ｋＨｚ程度の周波数帯域におけるばらつきを小さくすることができ、トータルとしての音量向上、音質改善に効果が見られる。ただし、５０００Ｈｚ付近に大きな特性変動があり、高域の特性の改善という意味では不十分である。つまり、スピーカ軸ｘよりも水平方向外側位置に放音孔１５を設けた構成においては、特に５００〜２０００Ｈｚの中域の周波数領域における音質・音量改善効果が得られる。
【００２６】
図６は、本発明の表示装置の他の実施形態を示す図で、表示装置の表示パネル、筐体、及びスピーカの配置構成を模式的に示すものである。
上記のように、スピーカ軸ｘが表示パネル１の表示面の法線ｙに対して表示パネル１１の水平方向外側に向けて傾斜した構成において、スピーカ軸ｘよりも水平方向外側位置に放音孔１５を設けることにより６００Ｈｚ〜３ｋＨｚ程度の周波数帯域のばらつきの改善がみられた。本実施形態では、図６に示すように、さらに放音孔１５よりも表示装置１の水平方向内側に、１または複数の補助放音孔１６を設ける。
【００２７】
図４の構成では、筐体１２の外側側方に放音孔１５があるため、スピーカ１３から出力された音の多くは、まず筐体１２の内面に当たり、その内面に沿って広がりながら伝播し、放音孔１５から外部に向けて放音される。この場合、比較的回り込み特性のより低周波域では、音圧の乱れが少ないが、例えば２〜８ｋＨｚ程度の高周波域で周波数特性の乱れが生じる。
【００２８】
本実施形態では、補助放音孔１６を設けることにより、スピーカ１３から出力された音の一部をそのままスピーカの前方から表示装置１の背面側に放音する。これにより、放音孔１５から放音された音の高周波域のばらつきをさらに補償して、周波数特性を改善させることができる。
この場合、補助放音孔１６の開口面積を大きくしてしまうと、図１に示すような従来の構成と同様の挙動となって、低周波数域の特性が悪くかつ音圧レベルも小さい音となってしまう。従って、スピーカ軸ｘの側方に設けた放音孔１５からの放音を主とし、この放音孔１５からの音の高周波域を補償する観点から補助放音孔１６の開口面積を決定する。少なくとも、補助放音孔１６の開口面積は、放音孔１５の開口面積より小さくする。例えば、一定の幅と長さをもつスリット状の放音孔１５とした場合、補助放音孔１６は、放音孔１５よりも狭い幅のスリット状に形成する。
【００２９】
図７は、図６に示す放音孔と補助放音孔とを設けた構成で、スピーカから音を出力させたときの音圧の測定結果を示す図である。
図７において、Ｄ４は図６に示す放音孔１５と補助放音孔１６とを設けたときの周波数特性を示し、図４の構成のときの検出結果Ｄ３を比較のために表示している。Ｄ３は、図５に示したＤ３と同じものである。この例においても、法線ｙに対するスピーカ軸ｘの角度θは７°とした。
【００３０】
図７に示されるように、スピーカ軸ｘが表示パネルの表示面の法線ｙに対して表示パネル１１の水平方向外側に向けて傾斜した構成において、スピーカ軸ｘよりも水平方向外側位置に放音孔１５を設け、かつ放音孔１５よりも水平方向内側に補助放音孔１６を設けることにより、特に２０００Ｈｚ以上の高域の周波数帯域におけるばらつきを小さくすることができ、音質改善効果が見られる。図７の例では、２０００〜８００００Ｈｚにおける音圧のばらつきは、放音孔１５のみのＤ３では１５ｄＢであるが、放音孔１５と補助放音孔１６とを設けたＤ４では１０ｄＢに減少し、周波数特性が改善した。
【００３１】
図８は、本発明による表示装置の実施形態のより具体的な構成例を示す図で、図６に模式的に示したものをより具体的な構成例として示すものである。
図８の構成は、スピーカ軸ｘが表示パネルの表示面の法線ｙに対して表示パネル１１の水平方向外側に向けて傾斜した構成において、スピーカ軸ｘよりも水平方向外側位置に複数の放音孔１５を設け、さらに放音孔１５よりも表示装置１の水平方向内側に複数の補助放音孔１６を備えたものである。
スピーカ１３から出力された音は、スピーカ軸ｘよりも水平方向外側に設けられた放音孔１５から筐体１２の外部に放音される。これにより、表示装置１の側方から正面のユーザ側に回り込む音の音質（周波数特性）及び音量が改善され、特に５００〜２０００Ｈｚ程度の中域の周波数領域の音質及び音量特性が改善される。そして、さらに補助放音孔１６を設けることにより、特に２０００Ｈｚ以上の高周波域の音質が改善され、ユーザに対して良好な音質でかつ、音量レベルが良好な状態で放音させることができる。
【００３２】
図９は、図８の構成をもった表示装置の背面側を示す図で、図９（Ａ）は表示装置１の背面全体図で、図９（Ｂ）は、図９（Ａ）の放音孔と補助放音孔とを設けた部分の要部斜視図である。
本例の表示装置１は、ヒンジ式に回動するスタンド１７によって、机上等に立てて置くことができる形態で形成されている。図１０は、表示装置１の反対側の面（表示装置１の正面側）を示す図で、正面側はそのほぼ全域が表示パネル１１による表示画面になっている。
【００３３】
スピーカ１３は、表示装置１の左右上部の２カ所に設けられている。１カ所には１または複数個のスピーカ１３が配置される。そして図８に示すように、各スピーカ１３のスピーカ軸に対して、表示装置１の水平方向外側の位置に放音孔１５が設けられる。本例では、放音孔１５は、複数の矩形の開口が直線上に整列することにより、全体としてスリット状の開口部を形成している。そしてこのスリット状の開口部が２列に並んでいる。
【００３４】
そして、放音孔１５に対して、表示装置１の水平方向内側には補助放音孔１６が設けられる。補助放音孔１６についても、複数の矩形の開口が直線上に整列することにより、全体としてスリット状の開口部を形成している。そして補助放音孔１６の各矩形開口の水平方向の幅は、放音孔１５の幅よりも小さくなっていて、全体として、補助放音孔１６の開口面積は、放音孔１５の開口面積よりも小さくなっている。
このような構成により、表示パネルの背面側にスピーカを設けた構成で、周波数特性の劣化および音量の低下を抑えて良好な音質、音量で音を出力することができる。
【００３５】
図１１は、本発明による表示装置における放音孔の他の構成例を示す図で、図９（Ｂ）の要部斜視図に相当するものである。図１１の例は、放音孔１５のみを設けて音量及び音質改善に寄与させるものである。本例では、筺体１２の側壁部１２ｓが表示パネルに対して垂直な面を構成し、放音孔１５は、筺体１２の側面に矩形の開口が直線上に整列した構成を有している。放音孔１５の位置が上記の図９の構成例と比較して、スピーカ軸ｘに対して、より水平方向外側であるため、表示装置１の側方に向けた音圧が向上し、正面に回り込む音が多くなって、正面のユーザ位置における音圧特性が向上する。
【００３６】
図１２は、本発明による表示装置における放音孔の他の構成例を示す図で、図９（Ｂ）の要部斜視図に相当するものである。図１２の例は、放音孔１５のみを設けて音量及び音質改善に寄与させるものである。放音孔１５は、矩形の開口が直線上に整列したものをさらに複数列形成してなっている。意匠的には、放音孔１５は、放熱孔を模した形状になっている。
【００３７】
図１３は本発明による表示装置における放音孔の更に他の構成例を示す図で、図９（Ｂ）の要部斜視図に相当するものである。図１３の例は、放音孔１５のみを設けて音量及び音質改善に寄与させるものであり、放音孔１５は、矩形の開口が直線上に整列した構成を有している。各矩形により形成される放音孔１５の中心軸はほぼ表示装置１の側方を向いている。
【００３８】
図１４は、本発明の表示装置における放音孔および補助放音孔の他の構成例を示す図で、図１４（Ａ）は表示装置背面側のほぼ半分を示す図、図１４（Ｂ）は図１４（Ａ）に示す放音孔および補助放音孔の構成例を示す図である。
図示しないスピーカは、表示装置１の左右上部の２カ所に設けられる。そして図１４（Ａ）に示すように、スピーカに対向する筐体１２の壁面に複数の放音孔１５および補助放音孔１６が設けられる。
【００３９】
本例の場合、放音孔１５および補助放音孔１６は、それぞれ複数の円形の貫通孔よりなっていて、これら貫通孔が同心円上に配置されている。図１４（Ｂ）により説明すると、同心円の仮想の中心をｏとする。ｏは表示装置の水平方向に一致するｈ軸とその垂直方向に一致するｖ軸との交点にある。表示パネル１１の水平方向外側は、矢印Ｐに示す方向となる。
【００４０】
そしてスピーカの指向性の中心となるスピーカ軸に交点ｏを一致させ、スピーカの振動板の円形形状に適合するように、複数の貫通孔を同心円上に設ける。この場合、スピーカ軸と交点ｏを厳密に一致させることは必須ではないが、貫通孔がスピーカの振動板の前面側に振動板の形状に合わせて配置されていることが好ましい。つまり放音孔１５および補助放音孔１６は、スピーカの振動板の正面に位置する筐体の領域であって、振動板の形状に対応した形状の領域内に配置される。これにより、スピーカから出力された音を、スピーカの振動板の正面に配置された放音孔１５および補助放音孔１６から効率よく筐体の外部に放音させることができる。
【００４１】
この例では、スピーカ軸が通る交点ｏよりも表示パネル１の水平方向外側の位置に、スピーカからの音を外部に放出するための放音孔１５を設ける。放音孔１５は、図１４（Ｂ）のｖ軸よりＰ方向外側に配置された複数の貫通孔よりなり、図中、白丸により示される。
一方、スピーカ軸が通る交点ｏよりも水平方向内側の位置に、複数の補助放音孔１６を設ける。補助放音孔は、図１４（Ｂ）のｖ軸より内側（Ｐ方向と反対側）に配置された複数の貫通孔よりなり、図中、白丸により示される。
【００４２】
全ての補助放音孔１６の総開口面積は、全ての放音孔１５の総開口面積より小さく設定される。これにより、放音孔１５から放音された音の高周波域のばらつきを補償して、周波数特性を改善させることができる。また、放音孔１５を構成する貫通孔の数や面積、および補助放音孔１６を構成する数や面積を変更することにより、表示パネルの形状や使用環境等に応じて最適な周波数特性が得られるように調整することができる。
【００４３】
また、図１４において、白丸で示される放音孔１５と補助放音孔１６以外の黒丸で示されるものは、表示パネル１の筐体の壁部を貫通することなく、筐体の厚さ方向に途中までくり抜かれた凹部１７である。放音孔１５と補助放音孔１６とが配置されていない同心円上のスペースに複数の凹部１７を設けることで、外観上スピーカの形状に合わせて同心円の孔が設けられているように見えるため、意匠上の効果が得られる。従って、凹部１７を設けることは必須ではなく、例えば放音孔１５と補助放音孔１６を除く領域をフラットな状態に加工してもよい。
【００４４】
図１５は、本発明の表示装置における放音孔および補助放音孔の更に他の構成例を示す図で、表示装置背面側のほぼ半分を示す図である。本例では、図１４と同様にスピーカに対向する筐体１２の壁面に複数の放音孔１５および補助放音孔１６が設けられるが、図１４の例と異なり、放音孔１５と補助放音孔１６の個々の形状が、細長いスリット形状になっている。この例では、各放音孔１５と補助放音孔１６はそれぞれ長円形が湾曲した形状を有している。
【００４５】
このとき、スピーカ軸が通る交点ｏよりも表示パネル１の水平方向外側の位置に放音孔１５を設け、スピーカ軸が通る交点ｏよりも水平方向内側の位置に、複数の補助放音孔１６を設ける。そして湾曲した長円形の長軸方向が、同心円の円周方向に一致するように配置されている。
【００４６】
本例の孔形状は、放音孔１５と補助放音孔１６の個々の開口形状のバリエーションの一例を示すものであり、本発明ではこれらの形状に限定されることなく、適宜放音孔１５と補助放音孔１６の形状を設計することができ、このときに、放音孔１５および補助放音孔１６の数と面積を調整することで、放音孔１５の放音特性と補助放音孔１６による補償特性を最適化することができる。また、この場合にも、同心円上の空いたスペースに、放音孔１５および補助放音孔１６と同形状の凹部を設け、意匠上の効果を付与するようにしてもよい。
【００４７】
図１６は、本発明による表示装置における補助放音孔の形状の設定例を示す図で、図１６（Ａ）は、表示装置のスピーカを含む要部構成例を示す図、図１６（Ｂ）は図１６（Ａ）に示す補助放音孔１６の断面を拡大して示す図である。表示装置１は、スピーカ１３のスピーカ軸ｘが表示パネル１１の表示面の法線ｙに対して表示パネル１１の水平方向外側に向けて傾斜している。そしてスピーカ軸ｘよりも水平方向外側位置に複数の放音孔１５が設けられ、さらに放音孔１５よりも表示装置１の水平方向内側に複数の補助放音孔１６が備えられている。
【００４８】
この例では、スピーカ１３から出力された音は、スピーカ軸ｘよりも水平方向外側に設けられた放音孔１５から筐体１２の外部に放音される。また、補助放音孔１６によって、筐体１２の背面に向けて放音がなされる。ここで、本例の補助放音孔１６は、その中心軸ｑが表示装置１の側方に向けて傾斜している。中心軸ｑは補助放音孔１６の周囲の壁面形状により規定されるもので、例えば補助放音孔１６が円柱形状や角柱形状の空間を形成していれば、その円柱もしくは角柱の長軸心が中心軸ｑとなる。この中心軸ｑの方向が表示パネルの法線ｙに対して表示装置１の側方に傾斜している。これによりスピーカ１３から放音された音が、補助放音孔１６を通して放音されるときに、傾斜した中心軸ｑの方向に沿って表示装置１の側方に向けて放音され、表示装置１の正面側に回り込む音が多くなって、正面のユーザ位置における音圧特性を向上させることができる。
【００４９】
図１７は、補助放音孔の更に他の構成例を示す図である。補助放音孔１６は、図１６の構成と同様に、補助放音孔１６の中心軸ｑが表示パネルの法線ｙに対して表示装置１の側方に傾斜している。そして本例の構成の場合、さらに補助放音孔１６の筐体内部側にザグリ加工を施してある。つまり、補助放音孔１６の筐体内部側開口部には、ザグリ加工による傾斜面１６ａが形成されている。このような構成により、筐体１２の内部のスピーカ１３から出力された音を、より効果的に集音して補助放音孔１６から放音させることが期待できる。
【００５０】
上記の例は、補助放音孔１６についてその中心軸ｑを表示装置１の側方に傾斜させたものであるが、放音孔１５についても同様の構成とすることができる。例えば図８のような構成の場合には、当初よりその中心軸ｑは表示装置１の側方を向いているが、例えば図９のような構成で放音孔１５を設ける場合に、個々の放音孔１５の中心軸を表示装置１の側方に向けて構成することができる。これにより、放音孔１５から放音された音が正面側に回り込む音が多くなって、正面のユーザ位置における音圧特性を向上させることができる。
【００５１】
また、上記のザグリ加工についても、放音孔１５に適用することができる。つまり放音孔１５の筐体内部側開口部にザグリ加工による傾斜面を設けることで、より効果的な集音効果を奏することが期待できる。
【００５２】
上記のように、本発明に係る実施形態では、放音孔１５を設けた構成とすることができ、さらに音質改善のために放音孔１５と補助放音孔１６とを備えた構成とすることができる。
これら放音孔１５と補助放音孔１６は上記の構成に限定されることはなく、本発明を逸脱しない範囲で適宜設定できることは明らかである。
【符号の説明】
【００５３】
１…表示装置、１１…表示パネル、１２…筐体、１２ｓ…側壁部、１３…スピーカ、１３…筐体、１４…放音孔、１５…放音孔、１６…補助放音孔、１７…スタンド。
【図１】
0005118780.tif 000002
【図２】
0005118780.tif 000003
【図３】
0005118780.tif 000004
【図４】
0005118780.tif 000005
【図５】
0005118780.tif 000006
【図６】
0005118780.tif 000007
【図７】
0005118780.tif 000008
【図８】
0005118780.tif 000009
【図９】
0005118780.tif 000010
【図１０】
0005118780.tif 000011
【図１１】
0005118780.tif 000012
【図１２】
0005118780.tif 000013
【図１３】
0005118780.tif 000014
【図１４】
0005118780.tif 000015
【図１５】
0005118780.tif 000016
【図１６】
0005118780.tif 000017
【図１７】
0005118780.tif 000018